(57)【特許請求の範囲】
【請求項１】
熱記録ヘッドの発熱体と、プラテンローラとの間に、記録紙と転写フィルムを挟んで記録作業を行なう熱転写式記録装置において、
熱記録ヘッドの発熱体がプラテンローラの頂点に対してなすヒータライン位置を切替え設定可能とするヒータライン設定替え装置を有し、
前記ヒータライン設定替え装置が、
支持台に支持したプラテンローラの支軸まわりに設けたヘッドガイドに、熱記録ヘッドを支持しているヘッドフレームの位置決め衝合部を衝合して前記ヒータライン位置を定めるに際し、
プラテンローラの支持まわりに複数のヘッドガイドを設けるとともに、各ヘッドガイドをヘッドフレームの位置決め衝合部による衝合位置に順次位置付け可能とするガイド位置切替え装置を備え、
前記支持台に支持したプラテンローラの支軸まわりに嵌合したガイド筒体の軸方向に複数のヘッドガイドと係合部を設け、
前記ガイド位置切替え装置が、支持台に対して移動する移動プレートに設けた係合部を上記ガイド筒体の係合部とプラテンローラの支軸方向にて係合させるとともに、各ヘッドガイドをヘッドフレームの位置決め衝合部による衝合位置に順次位置付けるように移動プレートをプラテンローラの支軸方向に移動可能とする操作部を備えてなることを特徴とする熱転写式記録装置。
【発明の詳細な説明】
【０００１】
【発明の属する技術分野】
本発明は、熱転写式記録装置に係り、特にカラー用昇華型熱転写式記録装置に関する。
【０００２】
【従来の技術】
従来、記録装置（プリンタ）として、溶融型インクリボン、昇華型インクリボン等の転写フィルムのインクを加熱により記録紙に転写する熱転写式記録装置がある。この熱転写式記録装置では、熱記録ヘッドの発熱体と、プラテンローラとの間に、記録紙と転写フィルムを挟んで記録作業を行なうこととしている。
【０００３】
【発明が解決しようとする課題】
しかるに、熱転写式記録装置では、熱記録ヘッドの発熱体がプラテンローラの軸方向に沿って連続配置されてヒータラインを構成しており、本発明者の経験によれば、熱記録ヘッドの発熱体がプラテンローラの頂点に対してなすヒータライン位置（ヒータラインのオフセット量）が記録紙の品種毎に異なる適正位置がある。
【０００４】
しかしながら、従来技術では、熱記録ヘッドの発熱体がプラテンローラの頂点に対してなすヒータライン位置を一定としている。このため、単一の記録装置で 2種の記録紙を用いるとき、 2種の記録紙のそれぞれに対応する 2つの適正ヒータライン位置の中間位置にヒータラインを設定することとしている。この場合のヒータライン位置は真正な適正位置でないため、しわ状印画欠損の発生を招く。
【０００５】
本発明の課題は、熱転写式記録装置において、熱記録ヘッドの発熱体がプラテンローラの頂点に対してなすヒータライン位置を簡易に適正化し、記録紙におけるしわ状印画欠損の発生を確実に防止することにある。
【０００６】
【課題を解決するための手段】
請求項１に記載の本発明は、熱記録ヘッドの発熱体と、プラテンローラとの間に、記録紙と転写フィルムを挟んで記録作業を行なう熱転写式記録装置において、熱記録ヘッドの発熱体がプラテンローラの頂点に対してなすヒータライン位置を切替え設定可能とするヒータライン設定替え装置を有し、前記ヒータライン設定替え装置が、支持台に支持したプラテンローラの支軸まわりに設けたヘッドガイドに、熱記録ヘッドを支持しているヘッドフレームの位置決め衝合部を衝合して前記ヒータライン位置を定めるに際し、プラテンローラの支持まわりに複数のヘッドガイドを設けるとともに、各ヘッドガイドをヘッドフレームの位置決め衝合部による衝合位置に順次位置付け可能とするガイド位置切替え装置を備え、前記支持台に支持したプラテンローラの支軸まわりに嵌合したガイド筒体の軸方向に複数のヘッドガイドと係合部を設け、前記ガイド位置切替え装置が、支持台に対して移動する移動プレートに設けた係合部を上記ガイド筒体の係合部とプラテンローラの支軸方向にて係合させるとともに、各ヘッドガイドをヘッドフレームの位置決め衝合部による衝合位置に順次位置付けるように移動プレートをプラテンローラの支軸方向に移動可能とする操作部を備えてなるようにしたものである。
【０００９】
【作用】
(a)熱記録ヘッドの発熱体がプラテンローラの頂点に対してなすヒータライン位置を切替え設定可能とした。これにより、熱記録ヘッドのヒータライン位置を記録紙の品種毎に定まる適正位置に設定でき、記録紙におけるしわ状印画欠損の発生を防止できる。
【００１０】
(b)ヒータライン設定替え装置が、プラテンローラの支軸まわりに設けた複数のヘッドガイドのそれぞれを、ガイド位置切替え装置によってヘッドフレームの位置決め衝合部による衝合位置に順次位置付けることにより、ヘッドフレームに支持してある熱記録ヘッドのヒータライン位置を簡易且つ確実に上記(a)の如くに切替え設定できる。
【００１１】
(c)ヒータライン設定替え装置が、プラテンローラの支軸まわりに嵌合したガイド筒体の複数のヘッドガイドのそれぞれを、ガイド位置切替え装置の操作部及び移動プレートによって、ヘッドフレームの位置決め衝合部による衝合位置に順次位置付けることにより、ヘッドフレームに支持してある熱記録ヘッドのヒータライン位置を簡易且つ確実に上記(a)の如くに切替え設定できる。
【００１２】
【発明の実施の形態】
図１は熱転写式記録装置の一例を示す模式図、図２は熱記録ヘッドとプラテンローラを示す模式図、図３は図２の要部拡大図、図４は図３の側面図、図５は加圧装置を示す模式図、図６は加圧装置の変形例を示す模式図である。
【００１３】
カラー用昇華型熱転写式記録装置１０は、図１に示す如く、ケース１１に、記録紙送給装置を構成する記録紙供給部１２及び記録紙引き出し部１３、転写フィルム送給装置を構成するリボンカセット１４、熱記録ヘッド１５、記録紙排出部１６、切断部１７、スタッカ部１８、電装品１９を備えている。
【００１４】
尚、ケース１１は、記録紙供給部１２の正面側の下部ドア１１Ａと、リボンカセット１４、記録紙排出部１６及び切断部１７まわりの上部ドア１１Ｂとを有している。
【００１５】
記録紙供給部１２は、ロール状記録紙１の巻芯１Ａを着脱できる記録紙巻出軸２１を備えるとともに、記録紙巻出軸２１に接続されるテンション付与装置２２、記録紙巻取モータ２３を備える。テンション付与装置２２は、記録紙巻出軸２１に負荷トルクを与えて、記録紙引き出し部１３により記録紙巻出軸２１から引き出される記録紙１にバックテンションを付与し、記録紙１の引き出し姿の安定を図る。記録紙巻取モータ２３は、記録紙引き出し部１３の戻り移動による記録紙１の記録紙巻出軸２１への巻き戻し過程で、記録紙巻出軸２１が記録紙１を安定した巻き姿で巻き戻しできるように記録紙巻出軸２１を逆転駆動せしめる。
【００１６】
記録紙引き出し部１３は、記録紙１の先端部をクランプするクランプ装置３１を備え、このクランプ装置３１にクランプした記録紙１を記録紙巻出軸２１からプラテンローラ３２まわりを経て引き出す。記録紙引き出し部１３は、熱記録ヘッド１５による 1回の記録毎に、記録紙１を初期位置Ａと引き出し位置Ｂとの間で直線往復移動せしめる。クランプ移動部３３は、クランプ装置３１の外側に設けられた歯車にタイミングベルトを装着し、このタイミングベルトをパルスモータで回転させる等により、タイミングベルトに保持されたクランプ装置３１を直線往復移動せしめる。記録紙１の初期位置Ａと引き出し位置Ｂの間での引き出し速度と引き戻し速度は、クランプ移動部３３によるクランプ装置３１の移動速度に規制される。
【００１７】
尚、プラテンローラ３２は、支軸３２Ａをケース１１に固定の軸受３２Ｂに支持され、回転自由とされている。
【００１８】
リボンカセット１４は、イエロー、マゼンタ、シアン、ブラックの染料層を面順に有する昇華型インクリボン２の巻出芯２Ａと巻取芯２Ｂをそれぞれ着脱できるリボン巻出軸４１とリボン巻取軸４２を備え、リボン巻出軸４１から巻き出されたリボン巻取軸４２に巻き取られるリボン２をプラテンローラ３２まわりに引き回すとともに、リボン巻取モータ４３を備える。リボン２は、印画時に熱記録ヘッド１５により記録紙１とともにプラテンローラ３２に挟圧され、記録紙引き出し部１３のクランプ装置３１により引き出される記録紙１に連れ移動してリボン巻出軸４１から巻き出されるとともに、リボン巻取モータ４３により駆動されるリボン巻取軸４２にたるみなく巻き取られる。
【００１９】
熱記録ヘッド１５は、ケース１１の上部ドア１１Ｂに昇降可能に支持されている昇降フレーム４４に着脱可能に取着されるヘッドフレーム４５に固定されている。上部ドア１１Ｂはケース１１に支軸１１Ｃを介して開き方向にスイング可能とされており、昇降フレーム４４は上部ドア１１Ｂに支軸１１Ｄを介して支持されて不図示の昇降モータにより昇降可能とされている。昇降フレーム４４は下限支持部４４Ａと左右支持部４４Ｂを備え、ヘッドフレーム４５の鉛直方向規制ローラ４５Ａを下限支持部４４Ａに、左右方向規制ローラ４５Ｂを左右支持部４４Ｂに当接せしめ、ヘッドフレーム４５の鉛直方向下限位置、左右方向位置を規制する状態で、水平ばね４６により該ヘッドフレーム４５を引き寄せ支持している。尚、ヘッドフレーム４５の前後方向位置は、ヘッドフレーム４５の後述する位置決め衝合部６２をプラテンローラ３２の支軸３２Ａまわりに設けたガイド筒体６１に衝合せしめることにて規制される。
【００２０】
また、熱記録ヘッド１５は、昇降フレーム４４に後述するように支持される加圧装置７０を付帯的に備え、加圧装置７０のばね７３の弾発力で熱記録ヘッド１５をプラテンローラ３２の側に加圧する。
【００２１】
即ち、熱記録ヘッド１５は、印画時に昇降フレーム４４の下降により下降するヘッドフレーム４５とともに待機位置から降下して、プラテンローラ３２との間に記録紙１とリボン２を挟んでヘッドフレーム４５の鉛直方向規制ローラ４５Ａを昇降フレーム４４の下限支持部４４Ａから浮き上がらせるとともに、加圧装置７０により加圧されて記録紙１とリボン２をプラテンローラ３２に挟圧し、昇華型熱転写方式により印画を行なう。
【００２２】
記録紙排出部１６は、熱記録ヘッド１５による印画終了後、初期位置に戻った記録紙引き出し部１３のクランプ装置３１により排出される記録紙１を排出ガイド５１からスタッカ部１８へ導く。
【００２３】
切断部１７は、記録紙排出部１６に設けられたカッタ５２により記録紙１を所定サイズにカットする。
【００２４】
スタッカ部１８は、切断部１７によりカットされ、記録紙排出部１６により排出された記録紙１をトレー５３の上に蓄積する。
【００２５】
従って、記録装置１０による印画動作は以下の如くなされる。
(1) 記録紙引き出し部１３のクランプ装置３１により記録紙１の先端をクランプするとともに、熱記録ヘッド１５を待機位置から降下して熱記録ヘッド１５を加圧装置７０によりプラテンローラ３２の側に加圧し、熱記録ヘッド１５により記録紙１とリボン２をプラテンローラ３２との間で挟圧する。
【００２６】
(2) 記録紙引き出し部１３のクランプ装置３１により記録紙１を初期位置から引き出し、この引き出し中に印画が行なわれる。リボン２は記録紙１に連れ移動してリボン巻出軸４１からリボン巻取軸４２へと巻き取られる。記録紙引き出し部１３のクランプ装置３１が引き出し位置に達すると、熱記録ヘッド１５を待機位置に上昇させ、記録紙１の引き戻しを行なう。記録紙１の引き戻しは、記録紙引き出し部１３のクランプ装置３１が初期位置に戻るとともに、記録紙巻取モータ２３による記録紙巻出軸２１の逆転によりなされる。
【００２７】
(3) 印画が多色であれば、イエロー、マゼンタ、シアン、ブラックの各リボン２を用いて上記(2) を繰り返す。
【００２８】
(4) 上記(2) 、(3) の後、初期位置に位置付けられた記録紙引き出し部１３から記録紙排出部１６への排紙動作がなされる。即ち、記録紙引き出し部１３のクランプ装置３１内に設けてある排紙ローラにより記録紙１の先端部を記録紙排出部１６の排出ガイド５１へと送給し、この記録紙１を切断部１７のカッタ５２により所定サイズにカットしてスタッカ部１８のトレー５３に蓄積する。
【００２９】
尚、上記(2) 、(3) における印画は、熱記録ヘッド１５の発熱体１５Ａによってリボン２の染料層の裏面から加熱することにより昇華せしめられるリボン２の昇華性染料を、記録紙１の受容層に拡散溶解し着色するものである。
【００３０】
しかるに、記録装置１０にあっては、図２〜図４に示す如く、熱記録ヘッド１５がプラテンローラ３２の軸方向に沿って発熱体１５Ａを連続配置したヒータライン１５Ｂを形成するとともに、ヒータライン設定替え装置６０を備え、このヒータライン１５Ｂがプラテンローラ３２の頂点Ｔに対してなすヒータライン位置Ｐを切替え設定可能としている。
【００３１】
ヒータライン設定替え装置６０は、ケース１１（支持台）に支持したプラテンローラ３２の両側の支軸３２Ａまわりに嵌合したガイド筒体６１の軸方向に第１と第２の円筒状ヘッドガイド６１Ａ、６１Ｂとリング溝状係合部６１Ｃを設けるとともに、ガイド位置切替え装置６３を備え、熱記録ヘッド１５を支持しているヘッドフレーム４５の両側部に設けた位置決め衝合部６２を上述の第１と第２のヘッドガイド６１Ａ、６１Ｂのいずれかに衝合し、ヒータライン１５Ｂの位置Ｐを定めることとしている（図４）。例えば図４において、ヘッドフレーム４５の位置決め衝合部６２が第１ヘッドガイド６１Ａに衝合したヒータライン位置Ｐ1 はプラテンローラ３２の頂点に対するオフセット量が 0、位置決め衝合部６２が第２ヘッドガイド６１Ｂに衝合したヒータライン位置Ｐ2 はプラテンローラ３２の頂点に対するオフセット量がｆとなる。即ち、ガイド位置切替え装置６３は、ガイド筒体６１の各ヘッドガイド６１Ａ、６１Ｂをヘッドフレーム４５の位置決め衝合部６２による衝合位置に順次位置付け、このヘッドフレーム４５の位置決め衝合部６２を各ヘッドガイド６１Ａ、６１Ｂのいずれかに選択的に衝合せしめるものである。具体的には、ガイド位置切替え装置６３は、ケース１１に固定のガイドプレート６４に対して移動する移動プレート６５の両側に設けた板状係合部６６を上記ガイド筒体６１のリング溝状係合部６１Ｃとプラテンローラ３２の軸方向にて係合させるとともに、各ヘッドガイド６１Ａ、６１Ｂをヘッドフレーム４５の位置決め衝合部６２による衝合位置に順次位置付けるように移動プレート６５をプラテンローラ３２の軸方向に移動する操作部６７を備える。操作部６７は、ガイドプレート６４の両側に枢着した回転円盤６７Ａの回転中心軸に対し一定の腕長さを持つクランクピン６７Ｂを備え、このクランクピン６７Ｂを移動プレート６５の長手方向に直交する方向に穿設した長孔６５Ａに係合せしめてある。操作部６７による回転円盤６７Ａの回転操作により、移動プレート６５はガイドプレート６４上を一定のストローク（クランクピン６７Ｂの回転直径）で往復動し、移動プレート６５の板状係合部６６と係合しているガイド筒体６１を同一のストロークで往復動せしめることにより、一方のストローク端で第１ヘッドガイド６１Ａを、他方のストローク端で第２ヘッドガイド６１Ｂをそれぞれヘッドフレーム４５の位置決め衝合部６２による衝合位置に位置付ける。
【００３２】
従って、ヒータライン設定替え装置６０は以下の如くに用いられる（図４）。
(1) 記録紙１の品種により、熱記録ヘッド１５のヒータライン１５Ｂがプラテンローラ３２の頂点に対してなす適正ヒータライン位置Ｐのオフセット量が 0であるとき、ガイド位置切替え装置６３の操作部６７により第１ヘッドガイド６１Ａが位置決め衝合部６２による衝合位置に位置付けられる。これにより、ヘッドフレーム４５の位置決め衝合部６２が第１ヘッドガイド６１Ａに衝合し、熱記録ヘッド１５のヒータライン１５Ｂがオフセット量を 0とする適正ヒータライン位置Ｐ1 に設定される。
【００３３】
(2) 記録紙１の品種変更により、熱記録ヘッド１５のヒータライン１５Ｂがプラテンローラ３２の頂点に対してなす適正ヒータライン位置Ｐのオフセット量がｆになったとき、ガイド位置切替え装置６３の操作部６７により第２ヘッドガイド６１Ｂが位置決め衝合部６２による衝合位置に位置付けられる。これにより、ヘッドフレーム４５の位置決め衝合部６２が第２ヘッドガイド６１Ｂに衝合し、熱記録ヘッド１５のヒータライン１５Ｂがオフセット量をｆとする適正ヒータライン位置Ｐ2 に設定される。
【００３４】
従って、記録装置１０にあっては、ヒータライン設定替え装置６０を備えたことにより、下記▲１▼、▲２▼の作用がある。
▲１▼熱記録ヘッド１５の発熱体１５Ａがプラテンローラ３２の頂点に対してなすヒータライン位置Ｐを切替え設定可能とした。これにより、熱記録ヘッド１５のヒータライン位置Ｐを記録紙１の品種毎に定まる適正位置に設定でき、記録紙１におけるしわ状印画欠損の発生を防止できる。
【００３５】
▲２▼ヒータライン設定替え装置６０が、プラテンローラ３２の支軸３２Ａまわりに嵌合したガイド筒体６１の複数のヘッドガイド６１Ａ、６１Ｂのそれぞれを、ガイド位置切替え装置６３の操作部６７及び移動プレート６５によって、ヘッドフレーム４５の位置決め衝合部６２による衝合位置に順次位置付けることにより、ヘッドフレーム４５に支持してある熱記録ヘッド１５のヒータライン位置Ｐを簡易且つ確実に上記▲１▼の如くに切替え設定できる。
【００３６】
次に、記録装置１０にあっては、加圧装置７０を図２〜図５に示す如く構成している。加圧装置７０は、昇降フレーム４４（支持体）に対する待機位置と作業位置とに切替え設定可能とされる操作部７１と、操作部７１に連結された加圧部７２と、昇降フレーム４４と加圧部７２との間に介装されて加圧部７２を熱記録ヘッド１５の側に弾発可能とするばね７３とを有する。また、加圧装置７０は、昇降フレーム４４に設けられて操作部７１を待機位置に保持する待機設定部７４を有する。
【００３７】
具体的には、操作部７１が同軸をなす大径軸７１Ａと小径軸７１Ｂを備えるとともに、大径軸７１Ａの上端面に孔付きのＬ型プレート７１Ｃ（孔７１Ｄ）を備える。また、待機設定部７４が大径孔７４Ａと小径孔７４Ｂを有する 2連孔からなる。
【００３８】
従って、加圧装置７０は以下の如くに用いられる（図５）。
(1) 熱記録ヘッド１５の故障による交換時に、昇降フレーム４４の加圧装置７０に対応する部分に設けてある操作孔７５にねじ回し用工具等の操作具７６を通し、操作具７６の先端部を操作部７１のＬ型プレート７１Ｃに挿入し、操作具７６によりばね７３の弾発力に抗して大径軸７１Ａを大径孔７４Ａから引き上げ、小径軸７１Ｂを小径孔７４Ｂに引き込み遊挿してから、大径軸７１Ａの下端面を小径孔７４Ｂまわりに係合するワンタッチ操作により、操作部７１を待機位置に設定する（図５（Ｃ）、（Ｄ））。これにより、ばね７３を所定の作業長さから待機長さに圧縮し、加圧部７２を熱記録ヘッド１５から離隔し、熱記録ヘッド１５の交換を行なうことを可能とする。
【００３９】
(2) 熱記録ヘッド１５の交換後には、上記(1) と逆の手順で操作具７６を用いることにより、操作部７１の大径軸７１Ａを大径孔７４Ａに引き戻し遊挿するワンタッチ操作により、ばね７３を直ちに所定の作業長さに戻し（図５（Ａ）、（Ｂ））、所定の弾発力で加圧部７２を熱記録ヘッド１５の側に弾発可能とする。
【００４０】
即ち、記録装置１０にあっては、操作部７１に大径軸７１Ａと小径軸７１Ｂを設け、 2連孔を待機設定部７４とする簡易な構成により、操作部７１を簡易に待機位置と作業位置とにワンタッチ操作で設定替えできる。これにより、熱記録ヘッド１５を簡易に交換できる。
【００４１】
尚、記録装置１０にあっては、上述の加圧装置７０に代え、図６の加圧装置８０を用いることもできる。加圧装置８０は、加圧装置７０と同様に、昇降フレーム４４（支持体）に対する待機位置と作業位置とに切替え設定可能とされる操作部８１と、操作部８１に連結された加圧部８２と、昇降フレーム４４と加圧部８２との間に介装されて加圧部８２を熱記録ヘッド１５の側に弾発可能とするばね８３とを有する。また、加圧装置８０は、昇降フレーム４４に設けられて操作部８１を待機位置に保持する待機設定部８４を有する。
【００４２】
このとき、加圧装置８０は、具体的には、操作部８１がＤ断面等の異形軸８１Ａと小径軸８１Ｂとを備え、待機設定部８４が異形孔８４Ａを備える。そして、操作部８１は、手指に握られて上下動され、小径軸８１Ｂを異形孔８４Ａに遊挿するとともに異形軸８１Ａの異形端面を異形孔８４Ａまわりに係合して待機位置に（図６（Ｃ）、（Ｄ））、異形軸８１Ａを異形孔８４Ａに遊挿して作業位置に設定される（図６（Ａ）、（Ｂ））。従って、操作部８１に異形軸８１Ａと小径軸８１Ｂを設け、異形孔８４Ａを待機設定部８４とする簡易な構成により、操作部８１を簡易に待機位置と作業位置とにワンタッチ操作で設定替えできる。これにより、熱記録ヘッド１５を簡易に交換できる。
【００４３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、ヘッドフレームの位置決め衝合部が衝合するヘッドガイドは、ケース１１（支持台）側に設けられるものであれば、必ずしもプラテンローラの支軸まわりに設けられることを要しない。
【００４４】
また、本発明の実施においては、ケース１１（支持台）側に単一のヘッドガイドを設け、ヘッドフレーム側に複数の位置決め衝合部を設け、各位置決め衝合部を衝合部切替え装置により選択的にヘッドガイドに衝合せしめることにより、ヒータライン位置を切替え設定可能とするものであっても良い。
【００４５】
また、本発明の実施において、ヒータライン位置は 3段以上の多段階、もしくは無段階に調整されるものであっても良い。
【００４６】
また、本発明の実施において、ガイド位置切替え装置（もしくは上述の衝合部切替え装置）は操作部を手動操作するものに限らず、記録装置１０の制御盤等に設定された記録紙１の品種情報に応じて、それらの駆動モータを自動的に作動せしめることにより、それらのヘッドガイド（もしくは位置決め衝合部）を移動制御するものとしても良い。
【００４７】
また、本発明は、熱転写式記録装置であれば、昇華型熱転写方式によるものに限らず、溶融型熱転写方式によるもの等、広く適用できる。
【００４８】
【発明の効果】
以上のように本発明によれば、熱転写式記録装置において、熱記録ヘッドの発熱体がプラテンローラの頂点に対してなすヒータライン位置を簡易に適正化し、記録紙におけるしわ状印画欠損の発生を確実に防止することができる。
【図面の簡単な説明】
【図１】図１は熱転写式記録装置の一例を示す模式図である。
【図２】図２は熱記録ヘッドとプラテンローラを示す模式図である。
【図３】図３は図２の要部拡大図である。
【図４】図４は図３の側面図である。
【図５】図５は加圧装置を示す模式図である。
【図６】図６は加圧装置の変形例を示す模式図である。
【符号の説明】
１  記録紙
２  リボン（転写フィルム）
１０  記録装置
１１  ケース（支持台）
１５  熱記録ヘッド
１５Ａ  発熱体
１５Ｂ  ヒータライン
３２  プラテンローラ
６０  ヒータライン設定替え装置
６１  ガイド筒体
６１Ａ、６１Ｂ  ヘッドガイド
６１Ｃ  溝状係合部
６２  位置決め衝合部
６３  ガイド位置切替え装置
６４  ガイドプレート
６５  移動プレート
６６  板状係合部
６７  操作部
【図１】
0003799397.tif 000002
【図２】
0003799397.tif 000003
【図３】
0003799397.tif 000004
【図４】
0003799397.tif 000005
【図５】
0003799397.tif 000006
【図６】
0003799397.tif 000007